(57)【要約】      （修正有）【課題】結ばなくても靴の締め付けを保持できる靴紐において、紐通し作業や締め付け調整作業が容易な靴紐を提供することを目的とする。【解決手段】長手方向両側部に夫々、靴本体部１の足甲部２に設けられた紐通し孔３の孔径よりも大径な大径こぶ部４が間隔をおいて複数並設されているとともに、長手方向中央部に紐通し孔３の孔径よりも小径な小径こぶ部５が間隔をおいて複数並設されている構成とされ、大径こぶ部４及び小径こぶ部５は夫々伸縮性を有し、更に、大径こぶ部４は、靴紐の長手方向に引っ張り操作されることで伸長小径化変形して紐通し孔３を通過することが可能な形状となり、引っ張り操作が解除されると元の紐通し孔３を通過することができない大径なこぶ形状に復元する構成とされる靴紐。【選択図】図１
2018094011.tif 000002
【特許請求の範囲】
【請求項１】
靴本体部の足甲部を緊締するための靴紐であって、長手方向両側部に夫々、前記足甲部の左右に設けられている紐通し孔の孔径よりも大径な大径こぶ部が間隔をおいて複数並設されているとともに、長手方向中央部に前記紐通し孔の孔径よりも小径な小径こぶ部が間隔をおいて複数並設されている構成とされ、前記大径こぶ部及び前記小径こぶ部は夫々伸縮性を有し、前記大径こぶ部は、前記靴紐の長手方向に引っ張り操作されることで伸長小径化変形して前記紐通し孔を通過することが可能な形状となり、前記引っ張り操作が解除されると元の前記紐通し孔を通過することができない大径なこぶ形状に復元する構成とされ、引っ張り操作により前記大径こぶ部を伸長小径化変形させながら前記紐通し孔を通過させて締め上げた後、前記引っ張り操作をやめて伸長小径化変形させた前記大径こぶ部を、元の前記紐通し孔を通過することができない大径なこぶ形状の大径こぶ部に復元させることで、この復元した大径こぶ部が前記紐通し孔に係止して締め上げ状態が保持され、紐通し孔から引き出された先端部同士を結ばなくても緊締状態が保持されることを特徴とする靴紐。
【請求項２】
前記小径こぶ部が複数並設される小径こぶ領域部の長さは、前記足甲部の左右に並設されている紐通し孔に左右交互に挿通して交差状に引き回し配設することができる長さに設定されていることを特徴とする請求項１記載の靴紐。
【請求項３】
前記大径こぶ部が複数並設される大径こぶ領域部の長さは、引っ張り操作により前記大径こぶ部を伸長小径化変形させて前記足甲部の左右に並設される各紐通し孔を通過させて締め上げた後、前記引っ張り操作をやめて伸長小径化変形させた前記大径こぶ部を元の前記紐通し孔を通過することができない大径なこぶ形状の大径こぶ部に復元させた際に、この復元された大径こぶ部が、前記足甲部の左右に並設されている紐通し孔の最も履き口側に位置する最後の紐通し孔だけ、若しくはこの最後の紐通し孔とその一つ手前の紐通し孔だけに戻り係止する長さに設定されていることを特徴とする請求項１，２のいずれか１項に記載の靴紐。
【請求項４】
伸縮性素材からなり、長手方向両側部に夫々、前記大径こぶ部を形成するための大径こぶ形成膨出形状部が間隔をおいて複数並設状態に形成されているとともに、長手方向中央部に前記小径こぶ部を形成するための小径こぶ形成膨出形状部が間隔をおいて複数並設状態に形成されている管状紐本体と、非伸縮性素材からなり前記管状紐本体内に挿通配設される内部紐体とからなり、前記大径こぶ部は前記大径こぶ形成膨出形状部内に前記内部紐体が大径こぶ芯部を形成するように弛み状態で配設されて成り、前記小径こぶ部は前記小径こぶ形成膨出形状部内に前記内部紐体が小径こぶ芯部を形成するように弛み状態で配設されて成る構成とされていることを特徴とする請求項１〜３のいずれか１項に記載の靴紐。
【請求項５】
前記管状紐本体は、前記大径こぶ形成膨出形状部及び前記小径こぶ形成膨出形状部が伸縮性素材で形成されている構成とされていることを特徴とする請求項４記載の靴紐。
【請求項６】
前記大径こぶ形成膨出形状部の両端部と前記大径こぶ芯部の両端部とが固着され、前記小径こぶ形成膨出形状部の両端部と前記小径こぶ芯部の両端部とが固着されている構成とされていることを特徴とする請求項４，５のいずれか１項に記載の靴紐。
【請求項７】
靴本体部と、請求項１〜６のいずれか１項に記載の靴紐とで構成されることを特徴とする靴。
【発明の詳細な説明】
【技術分野】
【０００１】
本発明は、結ばなくても靴の足甲部の緊締状態を保持することができる靴紐及びこの靴紐を具備する靴に関するものである。
【背景技術】
【０００２】
従来、この種の靴紐として、例えば特許文献１に開示されるようなもの（以下、従来例という）がある。
【０００３】
この従来例は、間隔をあけて繰返し配置され、自身に加えられる軸方向張力の大小によって径の大きさが変化するこぶを有する伸縮性素材からなるチューブ状ひも本体と、ひも本体のチューブ構造によって構成される中心の管部分に非伸縮性素材からなり、こぶのコアを構成し、こぶの径変化に応じたこぶ両端距離の変化に追随するようにこぶ対応部分にて丸められた中心ひもとで構成されており、軸方向張力を加えてこぶの径が小さくなるよう収縮させ、この状態でひもをひも孔に通し、ひも孔への通しが終えたらひもに加えた軸方向張力を弱めてこぶの径が大きくなるように膨張させ、このこぶが膨張することでひも孔にひっかかり、ひもを結ぶ作業を経ることなく固定効果（ひもを結んだ際の締め上げ保持効果）が得られることを可能としたものである。
【０００４】
よって、例えば、この従来例を靴紐として用いた場合、各ひも孔にこぶが係止して走るなどの運動をしても締め付け力が緩まず、靴が足にしっかりとフィットした状態が保持される効果が発揮される。
【先行技術文献】
【特許文献】
【０００５】
【特許文献１】特許第５０７９９２６号公報
【発明の概要】
【発明が解決しようとする課題】
【０００６】
しかしながら、この従来例を靴紐として用いた場合、紐全体に形成される多数のこぶを足甲部に設けられた多数のひも孔に対してほぼ全て通過させなければならず、紐通し作業が非常に厄介なものとなってしまう。
【０００７】
また、締め付け状態を調整する際も、同様に一々全てのこぶを移動させなければならず、簡単に締め付け具合を調整することができない不便さがあった。
【０００８】
本発明は、このような従来例の問題を解決し、結ぶことをしなくても靴の足甲部の締め付け状態を保持することができる靴紐において、紐通し作業や締め付け具合調整作業を容易に行うことができる実用性に優れた靴紐を提供することを目的とする。
【課題を解決するための手段】
【０００９】
添付図面を参照して本発明の要旨を説明する。
【００１０】
靴本体部１の足甲部２を緊締するための靴紐であって、長手方向両側部に夫々、前記足甲部２の左右に設けられている紐通し孔３の孔径よりも大径な大径こぶ部４が間隔をおいて複数並設されているとともに、長手方向中央部に前記紐通し孔３の孔径よりも小径な小径こぶ部５が間隔をおいて複数並設されている構成とされ、前記大径こぶ部４及び前記小径こぶ部５は夫々伸縮性を有し、前記大径こぶ部４は、前記靴紐14の長手方向に引っ張り操作されることで伸長小径化変形して前記紐通し孔３を通過することが可能な形状となり、前記引っ張り操作が解除されると元の前記紐通し孔３を通過することができない大径なこぶ形状に復元する構成とされ、引っ張り操作により前記大径こぶ部４を伸長小径化変形させながら前記紐通し孔３を通過させて締め上げた後、前記引っ張り操作をやめて伸長小径化変形させた前記大径こぶ部４を、元の前記紐通し孔３を通過することができない大径なこぶ形状の大径こぶ部４に復元させることで、この復元した大径こぶ部４が前記紐通し孔３に係止して締め上げ状態が保持され、紐通し孔３から引き出された先端部同士を結ばなくても緊締状態が保持されることを特徴とする靴紐に係るものである。
【００１１】
また、前記小径こぶ部５が複数並設される小径こぶ領域部７の長さは、前記足甲部２の左右に並設されている紐通し孔３に左右交互に挿通して交差状に引き回し配設することができる長さに設定されていることを特徴とする請求項１記載の靴紐に係るものである。
【００１２】
また、前記大径こぶ部４が複数並設される大径こぶ領域部６の長さは、引っ張り操作により前記大径こぶ部４を伸長小径化変形させて前記足甲部２の左右に並設される各紐通し孔３を通過させて締め上げた後、前記引っ張り操作をやめて伸長小径化変形させた前記大径こぶ部４を元の前記紐通し孔３を通過することができない大径なこぶ形状の大径こぶ部４に復元させた際に、この復元された大径こぶ部４が、前記足甲部２の左右に並設されている紐通し孔３の最も履き口側に位置する最後の紐通し孔３だけ、若しくはこの最後の紐通し孔３とその一つ手前の紐通し孔３だけに戻り係止する長さに設定されていることを特徴とする請求項１，２のいずれか１項に記載の靴紐に係るものである。
【００１３】
また、伸縮性素材からなり、長手方向両側部に夫々、前記大径こぶ部４を形成するための大径こぶ形成膨出形状部８が間隔をおいて複数並設状態に形成されているとともに、長手方向中央部に前記小径こぶ部５を形成するための小径こぶ形成膨出形状部９が間隔をおいて複数並設状態に形成されている管状紐本体10と、非伸縮性素材からなり前記管状紐本体10内に挿通配設される内部紐体11とからなり、前記大径こぶ部４は前記大径こぶ形成膨出形状部８内に前記内部紐体11が大径こぶ芯部12を形成するように弛み状態で配設されて成り、前記小径こぶ部５は前記小径こぶ形成膨出形状部９内に前記内部紐体11が小径こぶ芯部13を形成するように弛み状態で配設されて成る構成とされていることを特徴とする請求項１〜３のいずれか１項に記載の靴紐に係るものである。
【００１４】
また、前記管状紐本体10は、前記大径こぶ形成膨出形状部８及び前記小径こぶ形成膨出形状部９が伸縮性素材で形成されている構成とされていることを特徴とする請求項４記載の靴紐に係るものである。
【００１５】
また、前記大径こぶ形成膨出形状部８の両端部と前記大径こぶ芯部12の両端部とが固着され、前記小径こぶ形成膨出形状部９の両端部と前記小径こぶ芯部13の両端部とが固着されている構成とされていることを特徴とする請求項４，５のいずれか１項に記載の靴紐に係るものである。
【００１６】
また、靴本体部１と、請求項１〜６のいずれか１項に記載の靴紐14とで構成されることを特徴とする靴に係るものである。
【発明の効果】
【００１７】
本発明は上述のように構成したから、引っ張り操作により伸長小径化変形させて紐通し孔を通過させる大径こぶ部が従来例よりも少ないので、紐通し作業や締め付け具合調整作業が従来例に比べて容易になる。
【００１８】
更に、本発明は、足甲部に挿通配設した状態では、従来例よりも見た目がすっきりして体裁が良くなる。
【図面の簡単な説明】
【００１９】
【図１】本実施例を示す斜視図である。
【図２】本実施例を示す正面図である。
【図３】本実施例の靴紐を示す正面図である。
【図４】（ａ）本実施例の靴紐の通常状態を示す説明正面図である。（ｂ）本実施例の靴紐が伸長小径化変形している状態を示す説明正面図である。
【図５】（ａ）本実施例の靴紐の通常状態における内部紐体の状態を示す説明断面図である。（ｂ）本実施例の靴紐が伸長小径化変形している状態における内部紐体の状態を示す説明断面図である。
【図６】本実施例の使用状態（靴紐締め上げ状態）を示す説明図である。
【図７】本実施例の使用状態（靴紐締め上げ解除後の状態）を示す説明図である。
【図８】本実施例の大径こぶ部の紐通し孔挿通時の状態を示す説明図である。
【図９】本実施例の大径こぶ部の紐通し孔挿通後の状態を示す説明図である。
【図１０】本実施例の小径こぶ部の紐通し孔挿通時の状態を示す説明図である。
【図１１】本実施例の靴紐の靴紐自由先端部を靴紐先端係止部に挿通配設する状態を示す説明図である。
【発明を実施するための形態】
【００２０】
好適と考える本発明の実施形態を、図面に基づいて本発明の作用を示して簡単に説明する。
【００２１】
本発明は、手で引っ張り操作しながら大径こぶ部４を伸長小径化変形させ、靴本体部１の足甲部２の左右に夫々並設される複数の紐通し孔３に左右交互に挿通してこの足甲部２に交差状に引き回し配設し、最後の紐通し孔３を通過させた靴紐14の先端部側を引っ張り操作して締め上げた後、この引っ張り操作をやめると大径こぶ部４の伸長小径化変形が解除され、大径こぶ部４が元の紐通し孔３を通過することができない紐通し孔３よりも大径な形状に復元されて、戻り移動作用が生じた場合、この大径こぶ部４が紐通し孔３の周縁部に係止して戻り移動が阻止され、締め上げ状態が保持されるので、結ぶことが不要となる靴紐となる。
【００２２】
また、この紐通し孔３への紐通し作業の際、本発明の靴紐14は、長手方向両側部、言い換えると、靴紐14の各靴紐先端部15から夫々所定長さ領域にだけそのままの状態では紐通し孔３を通過することができず引っ張り操作により張力が付与されて伸長縮小化変形することで紐通し孔３を通過することができる大径こぶ部４が配置され、それ以外の領域はそのままの状態で紐通し孔３を通過することができる小径こぶ部５が配置される構成とされているので、一々引っ張り操作により伸長縮小化変形させながら紐通し孔３を通過させる大径こぶ部４の数が従来例に比べて少なく、よって、従来例に比べて紐通し作業が容易になる。
【００２３】
また更に、本発明の靴紐14は、靴本体部１の足甲部２の通し配設した状態において、足甲部２の上側（履き口側）に、例えば足甲部２の左右に並設される紐通し孔３の最も履き口側に位置する最後の紐通し孔３だけ、若しくはこの最後の紐通し孔３とその一つ手前の紐通し孔３とだけに、大径こぶ部４が複数並設される大径こぶ領域部６が挿通配設され、足甲部２の下側（靴先側）に、例えば前述した最後の紐通し孔３以外の紐通し孔３、若しくは最後の紐通し孔３とその一つ手前の紐通し孔３以外の紐通し孔３に、小径こぶ部５が複数並設される小径こぶ領域部７が挿通配設される状態となるので、締め付け具合を調整する際、この足甲部２の上側に位置する大径こぶ領域部６を移動させる際だけ引っ張り操作を要し、小径こぶ領域部７を移動させる際は、従来の一般的な靴紐を移動させるのと同様の通常紐通し操作でよいので、靴紐全体にこぶ（本発明の大径こぶ部４に相当）がある従来例に比べて締め付け具合の調整が容易になり、しかも、足甲部２における大径こぶ部４の数が少ないので、従来例よりも見た目がすっきりして体裁が良くなる。尚、本発明に対して、引っ張り操作するとは、そのままの状態では紐通し孔３を通過できない大径こぶ部４を、紐通し孔３を通過することができる小径状態に伸長小径化変形させる強い力（大きな力）で引っ張ることを意味し、通常紐通し引き操作とは、そのままの状態で紐通し孔３を通過することができる小径こぶ部５を紐通し孔３に通過させる操作、言い換えると、従来の一般的な靴紐のように紐通し孔３を通過させるために特に強い力を加えることなく普通に引っ張ることを意味する。
【００２４】
また、本発明の靴紐14は、各大径こぶ部４及び各小径こぶ部５は夫々伸縮性を有するので、靴紐全体に亘って伸縮性を有することとなり、この大径こぶ部４及び小径こぶ部５を伸長状態で足甲部２に挿通配設することで、この大径こぶ部４及び小径こぶ部５に縮退作用が生じ、この縮退作用によって生じる足甲部締め付け付勢により、靴本体部１の足へのフィット感が向上する。
【００２５】
このように、本発明は、従来例における問題が解決され、結ぶことをしなくても靴本体部１の足甲部２の締め付け状態を保持することができる靴紐において、紐通し作業や締め付け具合調整作業を容易に行うことができる実用性に優れた靴紐となる。
【実施例】
【００２６】
本発明の具体的な実施例について図面に基づいて説明する。
【００２７】
本実施例は、本発明の靴紐14と、靴本体部１とで構成される靴である。
【００２８】
以下、本実施例に係る構成各部について詳述する。
【００２９】
本実施例の靴紐14は、長手方向両側部に夫々設けられた、靴本体部１の足甲部２の左右に設けられている紐通し孔３の孔径よりも大径な大径こぶ部４が間隔をおいて複数並設されてなる大径こぶ領域部６と、この両側の大径こぶ領域部６の間、即ち、長手方向中央部に設けられた、紐通し孔３の孔径よりも小径な小径こぶ部５が間隔をおいて複数並設されてなる小径こぶ領域部７とから成る構成とされている。
【００３０】
具体的には、大径こぶ部４は、伸縮自在に構成され、非伸縮性の大径こぶ連結部16を介して靴紐14の長手方向に沿って並設されている構成とされ、また、小径こぶ部５は、大径こぶ部４同様、伸縮自在に構成され、非伸縮性の小径こぶ連結部17を介して靴紐14の長手方向に沿って並設されている構成とされている。
【００３１】
即ち、本実施例の靴紐14は、例えば両端部を手で持って引っ張り操作して大径こぶ部４、小径こぶ部５の夫々に張力を付与すると、伸縮自在に構成された複数の大径こぶ部４及び小径こぶ部５が伸長して靴紐全体がゴム紐の様に伸長し、引っ張り操作をやめて張力の付与が解除されると、大径こぶ部４及び小径こぶ部５の夫々が縮退して元の状態に復元する伸縮性を具備した構成とされている。
【００３２】
より具体的には、本実施例の大径こぶ部４は、直径約７ｍｍのほぼ球状に形成されており、靴紐14の長手方向への引っ張り操作により張力が付与されることでラグビーボール様に伸長小径化変形して紐通し孔３を通過することが可能な形状となり、引っ張り操作をやめることで張力が解除されると元の紐通し孔３を通過することができない大径なこぶ形状に復元する構成とされ、また、小径こぶ部５は、直径約４ｍｍの円筒状に形成され、大径こぶ部４同様、靴紐14の長手方向への引っ張り操作により張力が付与されることでこの小径こぶ部５に連設される直径約２ｍｍの紐状の小径こぶ連結部17と同化するように伸長小径化変形し、引っ張り操作をやめることで張力が解除されると元の形状に復元する構成とされている。
【００３３】
また、この大径こぶ部４が複数並設されてなる大径こぶ領域部６は、引っ張り操作により大径こぶ部４を伸長小径化変形させて足甲部２の左右に並設される各紐通し孔３を通過させて締め上げた後、引っ張り操作をやめて伸長小径化変形させた大径こぶ部４を元の紐通し孔３を通過することができない大径なこぶ形状の大径こぶ部４に復元させた際に、この復元された大径こぶ部４が、靴本体部１の足甲部２の左右に並設されている紐通し孔３の最も履き口側に位置する最後の紐通し孔３だけ、若しくはこの最後の紐通し孔３とその一つ手前の紐通し孔３だけに戻り係止する長さに設定され、また、小径こぶ部５が複数並設されて成る小径こぶ領域部７は、足甲部２の左右に並設されている紐通し孔３に左右交互に挿通して交差状に引き回し配設することができる長さに設定されている。
【００３４】
具体的には、本実施例においては、各大径こぶ領域部６は夫々、靴紐全長の約１／４に相当する長さに設定され、また、小径こぶ領域部７は、靴紐全長の約１／２に相当する長さに設定されており、より具体的には、大径こぶ領域部６は、靴紐14を靴本体部１の足甲部２の左右に並設される紐通し孔３に挿通配設して締め上げた際にこの足甲部２の上側、例えば紐通し孔３二つ分くらいの領域に配されるとともに、履き口に最も近い最後の紐通し孔３から引き出される靴紐自由先端部18となり、また、小径こぶ領域部７は、足甲部２の下側（靴先側）から上側（履き口側）にかけてその半分以上の領域に配されるように構成されている。
【００３５】
本実施例の靴紐14について更に具体的に説明すると、本実施例の靴紐14は、長手方向両側部に夫々、大径こぶ部４を形成するための大径こぶ形成膨出形状部８が間隔をおいて複数並設状態に形成されているとともに、長手方向中央部に小径こぶ部５を形成するための小径こぶ形成膨出形状部９が間隔をおいて複数並設状態に形成された伸縮性素材からなる管状紐本体10と、この管状紐本体10内に挿通配設される非伸縮性素材からなる内部紐体11との二つの部材からなる構成とされ、本実施例においては、管状紐本体10は、天然ゴムや合成ゴム等の伸縮性素材（弾性素材）と、ポリエステル、ナイロン、アクリル、ポリウレタン等の非伸縮性素材との組み合わせにより形成された伸縮性素材からなる構成とされている。
【００３６】
具体的には、本実施例の靴紐14は、管状紐本体10の大径こぶ形成膨出形状部８内に内部紐体11が大径こぶ芯部12を形成するように弛み状態で配設されて大径こぶ部４が形成され、また、管状紐本体10の小径こぶ形成膨出形状部９内に内部紐体11が小径こぶ芯部13を形成するように弛み状態で配設されて小径こぶ部５が形成される構成とされている。
【００３７】
また、本実施例の靴紐14は、この大径こぶ形成膨出形状部８内に配設させる大径こぶ芯部12、及び小径こぶ形成膨出形状部９内に配設される小径こぶ芯部13の夫々が、これら大径こぶ形成膨出形状部８及び小径こぶ形成膨出形状部９、言い換えると大径こぶ部４及び小径こぶ部５の伸長動作を制限する伸長動作制限部材となる構成とされている。
【００３８】
具体的には、大径こぶ芯部12は、両端部が大径こぶ形成膨出形状部８の両端部に固着された構成とされ、また、小径こぶ芯部13は、両端部が小径こぶ形成膨出形状部９の両端部に固着された構成とされ、大径こぶ部４においては、引っ張り操作による張力が付与されると大径こぶ形成膨出形状部８の端部が引っ張られて伸長動作し、この大径こぶ形成膨出形状部８の端部が引っ張られることで内部の弛み状態の大径こぶ芯部12も一緒に引っ張られ、この引っ張り作用により大径こぶ芯部12の弛みがなくなり張設状態になることで伸長動作制限作用が発揮されて大径こぶ形成膨出形状部８のそれ以上の伸長動作が制限（抑止）され、また、小径こぶ部５においては、引っ張り操作による張力が付与されると小径こぶ形成膨出形状部９の端部が引っ張られて伸長動作し、この小径こぶ形成膨出形状部９の端部が引っ張られることで内部の弛み状態の小径こぶ芯部13も一緒に引っ張られ、この引っ張り作用により小径こぶ芯部13の弛みがなくなり張設状態になることで伸長動作制限作用が発揮されて小径こぶ形成膨出形状部９のそれ以上の伸長動作が制限（抑止）される構成とされている。
【００３９】
即ち、本実施例の靴紐14は、引っ張り操作による伸長動作時の伸長量を制限して紐的要素を大きくした構成とすることで、紐通し孔３への挿通作業をし易くすると共に、管状紐本体10を構成する伸縮性素材（弾性素材）の過剰な伸長によるこの伸縮性素材の断裂を防止する構成とされている。
【００４０】
また、本実施例の靴本体部１は、図示するように、一般的なスニーカー形状に構成されているものであり、足甲部２の左右に夫々複数の紐通し孔３が靴先から履き口に向かう方向に沿って並設されている。
【００４１】
また、本実施例の靴本体部１は、左右の側面の夫々に、紐通し孔３に挿通配設した靴紐14の先端部分、即ち、紐通し孔３に挿通配設し履き口側に位置する最後の紐通し孔３を通過させて外方に引き出された靴紐14の靴紐自由先端部18を、この該靴本体部１に係止させるための靴紐先端係止部19が設けられている構成とされている。
【００４２】
具体的には、本実施例の靴紐先端係止部19は、非変形状態の大径こぶ部４は通過することができず、引っ張り操作により伸長小径化変形した大径こぶ部４は通過することができる紐通し孔３とほぼ同等の径寸法に設定された通孔20を有する構成とされている。
【００４３】
即ち、本実施例の靴紐先端係止部19は、大径こぶ部４が紐通し孔３に戻り止め係止する構成と同様、最後の紐通し孔３から引き出された靴紐自由先端部18を手で引っ張り操作してこの靴紐自由先端部18にある大径こぶ部４を伸長小径化変形させてこの靴紐自由先端部18を通孔20に挿通させた後、引っ張り操作をやめて伸長小径化変形した大径こぶ部４をそのままでは通孔20を通過することができない元の状態に復元させることで、靴紐14に戻り移動作用が生じてもこの靴紐自由先端部18の大径こぶ部４が通孔20の周縁部、即ち靴紐先端係止部19に戻り係止して、靴紐14の戻り移動が阻止されるように構成されている。
【００４４】
即ち、本実施例は、最後の紐通し孔３とともにこの靴紐先端係止部19の二箇所で靴紐14の締め上げ状態を保持する二重係止（ダブルロック）構造とされ、締め上げ状態を良好に保持し、靴紐14を結ばなくても靴本体部１の足甲部２の緊締状態が良好に保持される構成とされている。
【００４５】
更に本実施例の靴紐先端係止部19について具体的に説明すると、本実施例の靴紐先端係止部19は、足甲部２の履き口側に位置する最後の紐通し孔３と、この最後の紐通し孔３を挿通する前に靴紐14が挿通された反対側の最後の紐通し孔３の一つ手前の紐通し孔３とを結ぶ紐通し方向延長線上よりも靴本体部１の先端側に設けられる（配置される）構成とされ、具体的には、本実施例においては、最後の紐通し孔３のほぼ真下に設けられている構成とされている。
【００４６】
即ち、本実施例は、最後の紐通し孔３を通過し外方に引き出された靴紐14の靴紐自由先端部18を、最後の紐通し孔３の真下に位置する靴紐先端係止部19の通孔20に挿通することで、最後の紐通し孔３で靴紐14を大きく屈曲させて引き回し方向を変えることで、靴紐14に戻り移動作用が生じた場合、この屈曲部が戻り移動作用に対する抵抗部となって、より戻り移動しにくくなるように構成されている。
【００４７】
また更に、本実施例の靴紐先端係止部19に設けられた通孔20は、靴本体部１の側面に沿う方向に穿孔された構成とされ、最後の紐通し孔３から引き出された靴紐自由先端部18を手で引っ張り操作してこの靴紐自由先端部18にある大径こぶ部４を伸長小径化変形させてこの大径こぶ部４を通孔20に挿通させた後、引っ張り操作をやめて伸長小径化変形した大径こぶ部４をそのままでは通孔20を通過することができない元の状態に復元させると、この通孔20を挿通させた靴紐自由先端部18が靴本体部１の側面に沿設状態に位置決めされるように構成されている。
【００４８】
即ち、本実施例の靴紐先端係止部19は、靴紐14の締め上げ状態を保持する最後の保持部として構成されるとともに、余った靴紐14の靴紐自由先端部18が運動中にバタつかないように所定位置に固定する靴紐端部位置決め部として作用する構成とされている。
【００４９】
以上のように構成される本実施例の作用効果について以下に説明する。
【００５０】
本実施例は、靴紐14を手で引っ張り操作しながら大径こぶ部４を伸長小径化変形させ、靴本体部１の足甲部２の左右に夫々並設される複数の紐通し孔３に左右交互に挿通してこの足甲部２に交差状に引き回し配設し、最後の紐通し孔３を通過させた靴紐14の靴紐自由先端部18を引っ張り操作して締め上げた状態で、更にこの靴紐自由先端部18を靴紐先端係止部19の通孔20に挿通した後、この引っ張り操作をやめると大径こぶ部４の伸長小径化変形が解除され、大径こぶ部４が元の紐通し孔３及び通孔20を通過することができない大径な球状に復元されて、靴紐14に戻り移動作用が生じた場合、最後の紐通し孔３を通過した大径こぶ部４（具体的には、この最後の紐通し孔３の出口側に最も近い大径こぶ部４）がこの最後の紐通し孔３の周縁部（ハトメ部材）に係止するとともに、靴紐先端係止部19の通孔20を通過した大径こぶ部４（具体的には、この通孔20の出口側に最も近い大径こぶ部４）がこの通孔20の周縁部、即ち靴紐先端係止部19に係止して靴紐14の戻り移動が二箇所で阻止され、靴紐14の締め上げ状態が良好に保持されるので、靴紐14を結ばなくても足甲部２の締め付け状態が確実に保持されるので、靴紐14の結びが不要となる。
【００５１】
また、この紐通し孔３への紐通し作業の際、本実施例の靴紐14は、長手方向両側部、言い換えると、靴紐14の各靴紐先端部15から夫々所定長さ領域にだけそのままの状態では紐通し孔３を通過することができず引っ張り操作により張力が付与されて伸長縮小化変形することで紐通し孔３を通過することができる大径こぶ部４が配置され、それ以外の領域はそのままの状態で紐通し孔３を通過することができる小径こぶ部５が配置される構成とされているので、一々引っ張り操作により伸長縮小化変形させながら紐通し孔３を通過させる大径こぶ部４の数が従来例に比べて少なく、よって、従来例に比べて紐通し作業が容易になるとともに、靴紐14の締め付け具合を調整する際も、足甲部２の上側に位置する大径こぶ領域部６を移動させる際だけ引っ張り操作を要し、小径こぶ領域部７を移動させる際は、従来の一般的な靴紐を移動させるのと同様の通常紐通し操作でよいので、靴紐全体にこぶ（本実施例の大径こぶ部４に相当）がある従来例に比べて締め付け具合の調整が容易になり、しかも、足甲部２における大径こぶ部４の数が少ないので、従来例よりも見た目がすっきりして体裁が良くなる。
【００５２】
また、本実施例は、靴紐14の各大径こぶ部４及び各小径こぶ部５は夫々伸縮性を有するので、靴紐全体に亘って伸縮性を有することとなり、この大径こぶ部４及び小径こぶ部５をやや伸長させた状態で足甲部２に挿通配設することで、この大径こぶ部４及び小径こぶ部５に縮退作用が生じ、この縮退作用によって生じる足甲部締め付け付勢により、靴本体部１の足へのフィット感が向上し、しかも、この靴紐全体の伸縮性に加え、小径こぶ部５が紐通し孔３を自在に通過可能なので、この足甲部締め付け付勢の度合い、言い換えると、靴紐14の足甲部２に対する緊締具合が自然調整される。
【００５３】
即ち、足は左右非対称形であるとともに、その足甲頂点には多くの血管が存在し、靴紐で緊締することで血流が阻まれ、歩行や長時間立っていることで足全体がむくみ、ひいてはからだ全体の血流を悪くすることがあるが、本実施例は、上記作用により長時間の歩行や立ち作業でむくみが生じても、このむくみに応じて緊締具合が自然に調整されるので、足甲における血流が阻まれることがなく、この血流悪化による健康被害の発生を防止することができる。
【００５４】
また更に、本実施例は、紐通し孔３を挿通し終えた靴紐14の先端部、即ち靴紐自由先端部18が靴紐先端係止部19に係止されるので、締め上げ保持力を向上させるだけでなく、靴紐自由先端部18が運動中などにバタつかず、体裁も良くなる。
【００５５】
尚、本発明は、本実施例に限られるものではなく、各構成要件の具体的構成は適宜設計し得るものである。
【符号の説明】
【００５６】
１  靴本体部
２  足甲部
３  紐通し孔
４  大径こぶ部
５  小径こぶ部
６  大径こぶ領域部
７  小径こぶ領域部
８  大径こぶ形成膨出形状部
９  小径こぶ形成膨出形状部
10  管状紐本体
11  内部紐体
12  大径こぶ芯部
13  小径こぶ芯部
14  靴紐
【図１】
2018094011.tif 000003
【図２】
2018094011.tif 000004
【図３】
2018094011.tif 000005
【図４】
2018094011.tif 000006
【図５】
2018094011.tif 000007
【図６】
2018094011.tif 000008
【図７】
2018094011.tif 000009
【図８】
2018094011.tif 000010
【図９】
2018094011.tif 000011
【図１０】
2018094011.tif 000012
【図１１】
2018094011.tif 000013
【手続補正書】
【提出日】平成30年3月3日(2018.3.3)
【手続補正１】
【補正対象書類名】特許請求の範囲
【補正対象項目名】全文
【補正方法】変更
【補正の内容】
【特許請求の範囲】
【請求項１】
靴本体部の足甲部を緊締するための靴紐であって、伸縮性素材の管状紐本体と、この管状紐本体内に挿通配設される非伸縮性素材の内部紐体とからなり、長手方向両側部に夫々、前記足甲部の左右に設けられている紐通し孔の孔径よりも大径に形成される伸縮性を有する大径こぶ部が間隔をおいて多数並設されている大径こぶ領域部が設けられ、この長手方向両側に夫々設けられた前記大径こぶ領域部の間に、前記紐通し孔の孔径よりも小径に形成される伸縮性を有する小径こぶ部が間隔をおいて多数並設されている小径こぶ領域部が設けられていて、前記大径こぶ部が、前記靴紐の長手方向に引っ張り操作されることで伸長小径化変形して前記紐通し孔を通過することが可能な形状となり、前記引っ張り操作が解除されると元の前記紐通し孔を通過することができない大径なこぶ形状に復元するように構成されていて、引っ張り操作により前記大径こぶ部を伸長小径化変形させながら前記靴本体部の前記紐通し孔に通過させて締め上げた後、前記引っ張り操作をやめて伸長小径化変形させた前記大径こぶ部を前記紐通し孔を通過することができない元の前記紐通し孔よりも大径なこぶ形状の大径こぶ部に復元させることで、この復元した大径こぶ部が前記紐通し孔に係止して締め上げ状態が保持され、紐通し孔から引き出された先端部同士を結ばなくても前記靴本体部の緊締状態を保持するように構成されていることを特徴とする靴紐。
【請求項２】
長手方向両側部に設けられる前記大径こぶ領域部は、夫々、伸縮性を有す前記大径こぶ部と非伸縮性の大径こぶ連結部とが交互に連続して配置されてなり、この大径こぶ領域部間に設けられる前記小径こぶ領域部は、伸縮性を有する前記小径こぶ部と非伸縮性の小径こぶ連結部とが交互に連続して配置されて成る構成とされていることを特徴とする請求項１記載の靴紐。
【請求項３】
長手方向両側部に設けられる前記大径こぶ領域部は、夫々、靴紐全長の約１／４の長さに設定されており、この大径こぶ領域部間に設けられる前記小径こぶ領域部は、靴紐全長の約１／２の長さに設定されていることを特徴とする請求項１，２のいずれか１項に記載の靴紐。
【請求項４】
前記管状紐本体は、長手方向両側部に夫々、前記大径こぶ部を形成するための大径こぶ形成膨出形状部が間隔をおいて多数並設状態に形成されているとともに、長手方向中央部に前記小径こぶ部を形成するための小径こぶ形成膨出形状部が間隔をおいて多数並設状態に形成されている構成とされ、前記大径こぶ部は、前記大径こぶ形成膨出形状部内に前記内部紐体が大径こぶ芯部を形成するように弛み状態で配設されて成る構成とされ、前記小径こぶ部は、前記小径こぶ形成膨出形状部内に前記内部紐体が小径こぶ芯部を形成するように弛み状態で配設されて成る構成とされていることを特徴とする請求項１〜３のいずれか１項に記載の靴紐。
【請求項５】
前記大径こぶ形成膨出形状部の両端部と前記大径こぶ芯部の両端部とが固着され、前記小径こぶ形成膨出形状部の両端部と前記小径こぶ芯部の両端部とが固着されている構成とされていることを特徴とする請求項４記載の靴紐。
【請求項６】
靴本体部と、請求項１〜５のいずれか１項に記載の靴紐とで構成されることを特徴とする靴。
【手続補正２】
【補正対象書類名】明細書
【補正対象項目名】全文
【補正方法】変更
【補正の内容】
【発明の詳細な説明】
【技術分野】
【０００１】
本発明は、結ばなくても靴の足甲部の緊締状態を保持することができる靴紐及びこの靴紐を具備する靴に関するものである。
【背景技術】
【０００２】
従来、この種の靴紐として、例えば特許文献１に開示されるようなもの（以下、従来例という）がある。
【０００３】
この従来例は、間隔をあけて繰返し配置され、自身に加えられる軸方向張力の大小によって径の大きさが変化するこぶを有する伸縮性素材からなるチューブ状ひも本体と、ひも本体のチューブ構造によって構成される中心の管部分に非伸縮性素材からなり、こぶのコアを構成し、こぶの径変化に応じたこぶ両端距離の変化に追随するようにこぶ対応部分にて丸められた中心ひもとで構成されており、軸方向張力を加えてこぶの径が小さくなるよう収縮させ、この状態でひもをひも孔に通し、ひも孔への通しが終えたらひもに加えた軸方向張力を弱めてこぶの径が大きくなるように膨張させ、このこぶが膨張することでひも孔にひっかかり、ひもを結ぶ作業を経ることなく固定効果（ひもを結んだ際の締め上げ保持効果）が得られることを可能としたものである。
【０００４】
よって、例えば、この従来例を靴紐として用いた場合、各ひも孔にこぶが係止して走るなどの運動をしても締め付け力が緩まず、靴が足にしっかりとフィットした状態が保持される効果が発揮される。
【先行技術文献】
【特許文献】
【０００５】
【特許文献１】特許第５０７９９２６号公報
【発明の概要】
【発明が解決しようとする課題】
【０００６】
しかしながら、この従来例を靴紐として用いた場合、紐全体に形成される多数のこぶを足甲部に設けられた多数のひも孔に対してほぼ全て通過させなければならず、紐通し作業が非常に厄介なものとなってしまう。
【０００７】
また、締め付け状態を調整する際も、同様に一々全てのこぶを移動させなければならず、簡単に締め付け具合を調整することができない不便さがあった。
【０００８】
本発明は、このような従来例の問題を解決し、結ぶことをしなくても靴の足甲部の締め付け状態を保持することができる靴紐において、紐通し作業や締め付け具合調整作業を容易に行うことができる実用性に優れた靴紐を提供することを目的とする。
【課題を解決するための手段】
【０００９】
添付図面を参照して本発明の要旨を説明する。
【００１０】
靴本体部１の足甲部２を緊締するための靴紐であって、伸縮性素材の管状紐本体10と、この管状紐本体10内に挿通配設される非伸縮性素材の内部紐体11とからなり、長手方向両側部に夫々、前記足甲部２の左右に設けられている紐通し孔３の孔径よりも大径に形成される伸縮性を有する大径こぶ部４が間隔をおいて多数並設されている大径こぶ領域部が設けられ、この長手方向両側に夫々設けられた前記大径こぶ領域部６の間に、前記紐通し孔３の孔径よりも小径に形成される伸縮性を有する小径こぶ部５が間隔をおいて多数並設されている小径こぶ領域部７が設けられていて、前記大径こぶ部４が、前記靴紐14の長手方向に引っ張り操作されることで伸長小径化変形して前記紐通し孔３を通過することが可能な形状となり、前記引っ張り操作が解除されると元の前記紐通し孔３を通過することができない大径なこぶ形状に復元するように構成されていて、引っ張り操作により前記大径こぶ部４を伸長小径化変形させながら前記靴本体部１の前記紐通し孔３に通過させて締め上げた後、前記引っ張り操作をやめて伸長小径化変形させた前記大径こぶ部４を前記紐通し孔３を通過することができない元の前記紐通し孔３よりも大径なこぶ形状の大径こぶ部４に復元させることで、この復元した大径こぶ部４が前記紐通し孔３に係止して締め上げ状態が保持され、紐通し孔３から引き出された先端部同士を結ばなくても前記靴本体部１の緊締状態を保持するように構成されていることを特徴とする靴紐に係るものである。
【００１１】
また、長手方向両側部に設けられる前記大径こぶ領域部６は、夫々、伸縮性を有す前記大径こぶ部４と非伸縮性の大径こぶ連結部16とが交互に連続して配置されてなり、この大径こぶ領域部６間に設けられる前記小径こぶ領域部７は、伸縮性を有する前記小径こぶ部５と非伸縮性の小径こぶ連結部17とが交互に連続して配置されて成る構成とされていることを特徴とする請求項１記載の靴紐に係るものである。
【００１２】
また、長手方向両側部に設けられる前記大径こぶ領域部６は、夫々、靴紐全長の約１／４の長さに設定されており、この大径こぶ領域部６間に設けられる前記小径こぶ領域部７は、靴紐全長の約１／２の長さに設定されていることを特徴とする請求項１，２のいずれか１項に記載の靴紐に係るものである。
【００１３】
また、前記管状紐本体10は、長手方向両側部に夫々、前記大径こぶ部４を形成するための大径こぶ形成膨出形状部８が間隔をおいて多数並設状態に形成されているとともに、長手方向中央部に前記小径こぶ部５を形成するための小径こぶ形成膨出形状部９が間隔をおいて多数並設状態に形成されている構成とされ、前記大径こぶ部４は、前記大径こぶ形成膨出形状部８内に前記内部紐体11が大径こぶ芯部12を形成するように弛み状態で配設されて成る構成とされ、前記小径こぶ部５は、前記小径こぶ形成膨出形状部９内に前記内部紐体11が小径こぶ芯部13を形成するように弛み状態で配設されて成る構成とされていることを特徴とする請求項１〜３のいずれか１項に記載の靴紐に係るものである。
【００１４】
また、前記大径こぶ形成膨出形状部８の両端部と前記大径こぶ芯部12の両端部とが固着され、前記小径こぶ形成膨出形状部９の両端部と前記小径こぶ芯部13の両端部とが固着されている構成とされていることを特徴とする請求項４記載の靴紐に係るものである。
【００１５】
また、靴本体部１と、請求項１〜５のいずれか１項に記載の靴紐14とで構成されることを特徴とする靴に係るものである。
【発明の効果】
【００１６】
本発明は上述のように構成したから、引っ張り操作により伸長小径化変形させて紐通し孔を通過させる大径こぶ部が従来例よりも少ないので、紐通し作業や締め付け具合調整作業が従来例に比べて容易になる。
【００１７】
更に、本発明は、足甲部に挿通配設した状態では、従来例よりも見た目がすっきりして体裁が良くなる。
【図面の簡単な説明】
【００１８】
【図１】本実施例を示す斜視図である。
【図２】本実施例を示す正面図である。
【図３】本実施例の靴紐を示す正面図である。
【図４】（ａ）本実施例の靴紐の通常状態を示す説明正面図である。（ｂ）本実施例の靴紐が伸長小径化変形している状態を示す説明正面図である。
【図５】（ａ）本実施例の靴紐の通常状態における内部紐体の状態を示す説明断面図である。（ｂ）本実施例の靴紐が伸長小径化変形している状態における内部紐体の状態を示す説明断面図である。
【図６】本実施例の使用状態（靴紐締め上げ状態）を示す説明図である。
【図７】本実施例の使用状態（靴紐締め上げ解除後の状態）を示す説明図である。
【図８】本実施例の大径こぶ部の紐通し孔挿通時の状態を示す説明図である。
【図９】本実施例の大径こぶ部の紐通し孔挿通後の状態を示す説明図である。
【図１０】本実施例の小径こぶ部の紐通し孔挿通時の状態を示す説明図である。
【図１１】本実施例の靴紐の靴紐自由先端部を靴紐先端係止部に挿通配設する状態を示す説明図である。
【発明を実施するための形態】
【００１９】
好適と考える本発明の実施形態を、図面に基づいて本発明の作用を示して簡単に説明する。
【００２０】
本発明は、手で引っ張り操作しながら大径こぶ部４を伸長小径化変形させ、靴本体部１の足甲部２の左右に夫々並設される複数の紐通し孔３に左右交互に挿通してこの足甲部２に交差状に引き回し配設し、最後の紐通し孔３を通過させた靴紐14の先端部側を引っ張り操作して締め上げた後、この引っ張り操作をやめると大径こぶ部４の伸長小径化変形が解除され、大径こぶ部４が元の紐通し孔３を通過することができない紐通し孔３よりも大径な形状に復元されて、戻り移動作用が生じた場合、この大径こぶ部４が紐通し孔３の周縁部に係止して戻り移動が阻止され、締め上げ状態が保持されるので、結ぶことが不要となる靴紐となる。
【００２１】
また、この紐通し孔３への紐通し作業の際、本発明の靴紐14は、長手方向両側部、言い換えると、靴紐14の各靴紐先端部15から夫々所定長さ領域にだけそのままの状態では紐通し孔３を通過することができず引っ張り操作により張力が付与されて伸長縮小化変形することで紐通し孔３を通過することができる大径こぶ部４が配置され、それ以外の領域はそのままの状態で紐通し孔３を通過することができる小径こぶ部５が配置される構成とされているので、一々引っ張り操作により伸長縮小化変形させながら紐通し孔３を通過させる大径こぶ部４の数が従来例に比べて少なく、よって、従来例に比べて紐通し作業が容易になる。
【００２２】
また更に、本発明の靴紐14は、靴本体部１の足甲部２の通し配設した状態において、足甲部２の上側（履き口側）に、例えば足甲部２の左右に並設される紐通し孔３の最も履き口側に位置する最後の紐通し孔３だけ、若しくはこの最後の紐通し孔３とその一つ手前の紐通し孔３とだけに、大径こぶ部４が複数並設される大径こぶ領域部６が挿通配設され、足甲部２の下側（靴先側）に、例えば前述した最後の紐通し孔３以外の紐通し孔３、若しくは最後の紐通し孔３とその一つ手前の紐通し孔３以外の紐通し孔３に、小径こぶ部５が複数並設される小径こぶ領域部７が挿通配設される状態となるので、締め付け具合を調整する際、この足甲部２の上側に位置する大径こぶ領域部６を移動させる際だけ引っ張り操作を要し、小径こぶ領域部７を移動させる際は、従来の一般的な靴紐を移動させるのと同様の通常紐通し操作でよいので、靴紐全体にこぶ（本発明の大径こぶ部４に相当）がある従来例に比べて締め付け具合の調整が容易になり、しかも、足甲部２における大径こぶ部４の数が少ないので、従来例よりも見た目がすっきりして体裁が良くなる。尚、本発明に対して、引っ張り操作するとは、そのままの状態では紐通し孔３を通過できない大径こぶ部４を、紐通し孔３を通過することができる小径状態に伸長小径化変形させる強い力（大きな力）で引っ張ることを意味し、通常紐通し引き操作とは、そのままの状態で紐通し孔３を通過することができる小径こぶ部５を紐通し孔３に通過させる操作、言い換えると、従来の一般的な靴紐のように紐通し孔３を通過させるために特に強い力を加えることなく普通に引っ張ることを意味する。
【００２３】
また、本発明の靴紐14は、各大径こぶ部４及び各小径こぶ部５は夫々伸縮性を有するので、靴紐全体に亘って伸縮性を有することとなり、この大径こぶ部４及び小径こぶ部５を伸長状態で足甲部２に挿通配設することで、この大径こぶ部４及び小径こぶ部５に縮退作用が生じ、この縮退作用によって生じる足甲部締め付け付勢により、靴本体部１の足へのフィット感が向上する。
【００２４】
このように、本発明は、従来例における問題が解決され、結ぶことをしなくても靴本体部１の足甲部２の締め付け状態を保持することができる靴紐において、紐通し作業や締め付け具合調整作業を容易に行うことができる実用性に優れた靴紐となる。
【実施例】
【００２５】
本発明の具体的な実施例について図面に基づいて説明する。
【００２６】
本実施例は、本発明の靴紐14と、靴本体部１とで構成される靴である。
【００２７】
以下、本実施例に係る構成各部について詳述する。
【００２８】
本実施例の靴紐14は、長手方向両側部に夫々設けられた、靴本体部１の足甲部２の左右に設けられている紐通し孔３の孔径よりも大径な大径こぶ部４が間隔をおいて複数並設されてなる大径こぶ領域部６と、この両側の大径こぶ領域部６の間、即ち、長手方向中央部に設けられた、紐通し孔３の孔径よりも小径な小径こぶ部５が間隔をおいて複数並設されてなる小径こぶ領域部７とから成る構成とされている。
【００２９】
具体的には、大径こぶ部４は、伸縮自在に構成され、非伸縮性の大径こぶ連結部16を介して靴紐14の長手方向に沿って並設されている構成とされ、また、小径こぶ部５は、大径こぶ部４同様、伸縮自在に構成され、非伸縮性の小径こぶ連結部17を介して靴紐14の長手方向に沿って並設されている構成とされている。
【００３０】
即ち、本実施例の靴紐14は、例えば両端部を手で持って引っ張り操作して大径こぶ部４、小径こぶ部５の夫々に張力を付与すると、伸縮自在に構成された複数の大径こぶ部４及び小径こぶ部５が伸長して靴紐全体がゴム紐の様に伸長し、引っ張り操作をやめて張力の付与が解除されると、大径こぶ部４及び小径こぶ部５の夫々が縮退して元の状態に復元する伸縮性を具備した構成とされている。
【００３１】
より具体的には、本実施例の大径こぶ部４は、直径約７ｍｍのほぼ球状に形成されており、靴紐14の長手方向への引っ張り操作により張力が付与されることでラグビーボール様に伸長小径化変形して紐通し孔３を通過することが可能な形状となり、引っ張り操作をやめることで張力が解除されると元の紐通し孔３を通過することができない大径なこぶ形状に復元する構成とされ、また、小径こぶ部５は、直径約４ｍｍの円筒状に形成され、大径こぶ部４同様、靴紐14の長手方向への引っ張り操作により張力が付与されることでこの小径こぶ部５に連設される直径約２ｍｍの紐状の小径こぶ連結部17と同化するように伸長小径化変形し、引っ張り操作をやめることで張力が解除されると元の形状に復元する構成とされている。
【００３２】
また、この大径こぶ部４が複数並設されてなる大径こぶ領域部６は、引っ張り操作により大径こぶ部４を伸長小径化変形させて足甲部２の左右に並設される各紐通し孔３を通過させて締め上げた後、引っ張り操作をやめて伸長小径化変形させた大径こぶ部４を元の紐通し孔３を通過することができない大径なこぶ形状の大径こぶ部４に復元させた際に、この復元された大径こぶ部４が、靴本体部１の足甲部２の左右に並設されている紐通し孔３の最も履き口側に位置する最後の紐通し孔３だけ、若しくはこの最後の紐通し孔３とその一つ手前の紐通し孔３だけに戻り係止する長さに設定され、また、小径こぶ部５が複数並設されて成る小径こぶ領域部７は、足甲部２の左右に並設されている紐通し孔３に左右交互に挿通して交差状に引き回し配設することができる長さに設定されている。
【００３３】
具体的には、本実施例においては、各大径こぶ領域部６は夫々、靴紐全長の約１／４に相当する長さに設定され、また、小径こぶ領域部７は、靴紐全長の約１／２に相当する長さに設定されており、より具体的には、大径こぶ領域部６は、靴紐14を靴本体部１の足甲部２の左右に並設される紐通し孔３に挿通配設して締め上げた際にこの足甲部２の上側、例えば紐通し孔３二つ分くらいの領域に配されるとともに、履き口に最も近い最後の紐通し孔３から引き出される靴紐自由先端部18となり、また、小径こぶ領域部７は、足甲部２の下側（靴先側）から上側（履き口側）にかけてその半分以上の領域に配されるように構成されている。
【００３４】
本実施例の靴紐14について更に具体的に説明すると、本実施例の靴紐14は、長手方向両側部に夫々、大径こぶ部４を形成するための大径こぶ形成膨出形状部８が間隔をおいて複数並設状態に形成されているとともに、長手方向中央部に小径こぶ部５を形成するための小径こぶ形成膨出形状部９が間隔をおいて複数並設状態に形成された伸縮性素材からなる管状紐本体10と、この管状紐本体10内に挿通配設される非伸縮性素材からなる内部紐体11との二つの部材からなる構成とされ、本実施例においては、管状紐本体10は、天然ゴムや合成ゴム等の伸縮性素材（弾性素材）と、ポリエステル、ナイロン、アクリル、ポリウレタン等の非伸縮性素材との組み合わせにより形成された伸縮性素材からなる構成とされている。
【００３５】
具体的には、本実施例の靴紐14は、管状紐本体10の大径こぶ形成膨出形状部８内に内部紐体11が大径こぶ芯部12を形成するように弛み状態で配設されて大径こぶ部４が形成され、また、管状紐本体10の小径こぶ形成膨出形状部９内に内部紐体11が小径こぶ芯部13を形成するように弛み状態で配設されて小径こぶ部５が形成される構成とされている。
【００３６】
また、本実施例の靴紐14は、この大径こぶ形成膨出形状部８内に配設させる大径こぶ芯部12、及び小径こぶ形成膨出形状部９内に配設される小径こぶ芯部13の夫々が、これら大径こぶ形成膨出形状部８及び小径こぶ形成膨出形状部９、言い換えると大径こぶ部４及び小径こぶ部５の伸長動作を制限する伸長動作制限部材となる構成とされている。
【００３７】
具体的には、大径こぶ芯部12は、両端部が大径こぶ形成膨出形状部８の両端部に固着された構成とされ、また、小径こぶ芯部13は、両端部が小径こぶ形成膨出形状部９の両端部に固着された構成とされ、大径こぶ部４においては、引っ張り操作による張力が付与されると大径こぶ形成膨出形状部８の端部が引っ張られて伸長動作し、この大径こぶ形成膨出形状部８の端部が引っ張られることで内部の弛み状態の大径こぶ芯部12も一緒に引っ張られ、この引っ張り作用により大径こぶ芯部12の弛みがなくなり張設状態になることで伸長動作制限作用が発揮されて大径こぶ形成膨出形状部８のそれ以上の伸長動作が制限（抑止）され、また、小径こぶ部５においては、引っ張り操作による張力が付与されると小径こぶ形成膨出形状部９の端部が引っ張られて伸長動作し、この小径こぶ形成膨出形状部９の端部が引っ張られることで内部の弛み状態の小径こぶ芯部13も一緒に引っ張られ、この引っ張り作用により小径こぶ芯部13の弛みがなくなり張設状態になることで伸長動作制限作用が発揮されて小径こぶ形成膨出形状部９のそれ以上の伸長動作が制限（抑止）される構成とされている。
【００３８】
即ち、本実施例の靴紐14は、引っ張り操作による伸長動作時の伸長量を制限して紐的要素を大きくした構成とすることで、紐通し孔３への挿通作業をし易くすると共に、管状紐本体10を構成する伸縮性素材（弾性素材）の過剰な伸長によるこの伸縮性素材の断裂を防止する構成とされている。
【００３９】
また、本実施例の靴本体部１は、図示するように、一般的なスニーカー形状に構成されているものであり、足甲部２の左右に夫々複数の紐通し孔３が靴先から履き口に向かう方向に沿って並設されている。
【００４０】
また、本実施例の靴本体部１は、左右の側面の夫々に、紐通し孔３に挿通配設した靴紐14の先端部分、即ち、紐通し孔３に挿通配設し履き口側に位置する最後の紐通し孔３を通過させて外方に引き出された靴紐14の靴紐自由先端部18を、この該靴本体部１に係止させるための靴紐先端係止部19が設けられている構成とされている。
【００４１】
具体的には、本実施例の靴紐先端係止部19は、非変形状態の大径こぶ部４は通過することができず、引っ張り操作により伸長小径化変形した大径こぶ部４は通過することができる紐通し孔３とほぼ同等の径寸法に設定された通孔20を有する構成とされている。
【００４２】
即ち、本実施例の靴紐先端係止部19は、大径こぶ部４が紐通し孔３に戻り止め係止する構成と同様、最後の紐通し孔３から引き出された靴紐自由先端部18を手で引っ張り操作してこの靴紐自由先端部18にある大径こぶ部４を伸長小径化変形させてこの靴紐自由先端部18を通孔20に挿通させた後、引っ張り操作をやめて伸長小径化変形した大径こぶ部４をそのままでは通孔20を通過することができない元の状態に復元させることで、靴紐14に戻り移動作用が生じてもこの靴紐自由先端部18の大径こぶ部４が通孔20の周縁部、即ち靴紐先端係止部19に戻り係止して、靴紐14の戻り移動が阻止されるように構成されている。
【００４３】
即ち、本実施例は、最後の紐通し孔３とともにこの靴紐先端係止部19の二箇所で靴紐14の締め上げ状態を保持する二重係止（ダブルロック）構造とされ、締め上げ状態を良好に保持し、靴紐14を結ばなくても靴本体部１の足甲部２の緊締状態が良好に保持される構成とされている。
【００４４】
更に本実施例の靴紐先端係止部19について具体的に説明すると、本実施例の靴紐先端係止部19は、足甲部２の履き口側に位置する最後の紐通し孔３と、この最後の紐通し孔３を挿通する前に靴紐14が挿通された反対側の最後の紐通し孔３の一つ手前の紐通し孔３とを結ぶ紐通し方向延長線上よりも靴本体部１の先端側に設けられる（配置される）構成とされ、具体的には、本実施例においては、最後の紐通し孔３のほぼ真下に設けられている構成とされている。
【００４５】
即ち、本実施例は、最後の紐通し孔３を通過し外方に引き出された靴紐14の靴紐自由先端部18を、最後の紐通し孔３の真下に位置する靴紐先端係止部19の通孔20に挿通することで、最後の紐通し孔３で靴紐14を大きく屈曲させて引き回し方向を変えることで、靴紐14に戻り移動作用が生じた場合、この屈曲部が戻り移動作用に対する抵抗部となって、より戻り移動しにくくなるように構成されている。
【００４６】
また更に、本実施例の靴紐先端係止部19に設けられた通孔20は、靴本体部１の側面に沿う方向に穿孔された構成とされ、最後の紐通し孔３から引き出された靴紐自由先端部18を手で引っ張り操作してこの靴紐自由先端部18にある大径こぶ部４を伸長小径化変形させてこの大径こぶ部４を通孔20に挿通させた後、引っ張り操作をやめて伸長小径化変形した大径こぶ部４をそのままでは通孔20を通過することができない元の状態に復元させると、この通孔20を挿通させた靴紐自由先端部18が靴本体部１の側面に沿設状態に位置決めされるように構成されている。
【００４７】
即ち、本実施例の靴紐先端係止部19は、靴紐14の締め上げ状態を保持する最後の保持部として構成されるとともに、余った靴紐14の靴紐自由先端部18が運動中にバタつかないように所定位置に固定する靴紐端部位置決め部として作用する構成とされている。
【００４８】
以上のように構成される本実施例の作用効果について以下に説明する。
【００４９】
本実施例は、靴紐14を手で引っ張り操作しながら大径こぶ部４を伸長小径化変形させ、靴本体部１の足甲部２の左右に夫々並設される複数の紐通し孔３に左右交互に挿通してこの足甲部２に交差状に引き回し配設し、最後の紐通し孔３を通過させた靴紐14の靴紐自由先端部18を引っ張り操作して締め上げた状態で、更にこの靴紐自由先端部18を靴紐先端係止部19の通孔20に挿通した後、この引っ張り操作をやめると大径こぶ部４の伸長小径化変形が解除され、大径こぶ部４が元の紐通し孔３及び通孔20を通過することができない大径な球状に復元されて、靴紐14に戻り移動作用が生じた場合、最後の紐通し孔３を通過した大径こぶ部４（具体的には、この最後の紐通し孔３の出口側に最も近い大径こぶ部４）がこの最後の紐通し孔３の周縁部（ハトメ部材）に係止するとともに、靴紐先端係止部19の通孔20を通過した大径こぶ部４（具体的には、この通孔20の出口側に最も近い大径こぶ部４）がこの通孔20の周縁部、即ち靴紐先端係止部19に係止して靴紐14の戻り移動が二箇所で阻止され、靴紐14の締め上げ状態が良好に保持されるので、靴紐14を結ばなくても足甲部２の締め付け状態が確実に保持されるので、靴紐14の結びが不要となる。
【００５０】
また、この紐通し孔３への紐通し作業の際、本実施例の靴紐14は、長手方向両側部、言い換えると、靴紐14の各靴紐先端部15から夫々所定長さ領域にだけそのままの状態では紐通し孔３を通過することができず引っ張り操作により張力が付与されて伸長縮小化変形することで紐通し孔３を通過することができる大径こぶ部４が配置され、それ以外の領域はそのままの状態で紐通し孔３を通過することができる小径こぶ部５が配置される構成とされているので、一々引っ張り操作により伸長縮小化変形させながら紐通し孔３を通過させる大径こぶ部４の数が従来例に比べて少なく、よって、従来例に比べて紐通し作業が容易になるとともに、靴紐14の締め付け具合を調整する際も、足甲部２の上側に位置する大径こぶ領域部６を移動させる際だけ引っ張り操作を要し、小径こぶ領域部７を移動させる際は、従来の一般的な靴紐を移動させるのと同様の通常紐通し操作でよいので、靴紐全体にこぶ（本実施例の大径こぶ部４に相当）がある従来例に比べて締め付け具合の調整が容易になり、しかも、足甲部２における大径こぶ部４の数が少ないので、従来例よりも見た目がすっきりして体裁が良くなる。
【００５１】
また、本実施例は、靴紐14の各大径こぶ部４及び各小径こぶ部５は夫々伸縮性を有するので、靴紐全体に亘って伸縮性を有することとなり、この大径こぶ部４及び小径こぶ部５をやや伸長させた状態で足甲部２に挿通配設することで、この大径こぶ部４及び小径こぶ部５に縮退作用が生じ、この縮退作用によって生じる足甲部締め付け付勢により、靴本体部１の足へのフィット感が向上し、しかも、この靴紐全体の伸縮性に加え、小径こぶ部５が紐通し孔３を自在に通過可能なので、この足甲部締め付け付勢の度合い、言い換えると、靴紐14の足甲部２に対する緊締具合が自然調整される。
【００５２】
即ち、足は左右非対称形であるとともに、その足甲頂点には多くの血管が存在し、靴紐で緊締することで血流が阻まれ、歩行や長時間立っていることで足全体がむくみ、ひいてはからだ全体の血流を悪くすることがあるが、本実施例は、上記作用により長時間の歩行や立ち作業でむくみが生じても、このむくみに応じて緊締具合が自然に調整されるので、足甲における血流が阻まれることがなく、この血流悪化による健康被害の発生を防止することができる。
【００５３】
また更に、本実施例は、紐通し孔３を挿通し終えた靴紐14の先端部、即ち靴紐自由先端部18が靴紐先端係止部19に係止されるので、締め上げ保持力を向上させるだけでなく、靴紐自由先端部18が運動中などにバタつかず、体裁も良くなる。
【００５４】
尚、本発明は、本実施例に限られるものではなく、各構成要件の具体的構成は適宜設計し得るものである。
【符号の説明】
【００５５】
１  靴本体部
２  足甲部
３  紐通し孔
４  大径こぶ部
５  小径こぶ部
６  大径こぶ領域部
７  小径こぶ領域部
８  大径こぶ形成膨出形状部
９  小径こぶ形成膨出形状部
10  管状紐本体
11  内部紐体
12  大径こぶ芯部
13  小径こぶ芯部
14  靴紐
16 大径こぶ連結部
17 小径こぶ連結部